(57)【要約】【課題】風による影響がなく、使用性あるいは取扱性等に優れた釣り用シモリ玉を提供する。【解決手段】釣り糸が挿通する糸穴２を有する。平坦型の概略ジョウゴ状に形成され、糸穴２はジョウゴ状の先端部２ａに小径に絞り込まれている。糸穴２の先端部２ａにて、釣り糸と実質的に１つの接点を持つ。糸穴２はその先端部２ａから滑らかに、概略ラッパ状に拡開し、この拡開部内に釣り糸に係着する浮き止め糸を収容可能にする。【選択図】図１
2006204216.tif 000002
【特許請求の範囲】
【請求項１】
釣り糸が挿通する糸穴を有する釣り用シモリ玉であって、
平坦型の概略ジョウゴ状に形成され、前記糸穴は前記ジョウゴ状の先端部に小径に絞り込まれて、釣用糸を極めて通し易くし、かつ糸との接点を１ヶ所のみにすることで摩擦抵抗を抑え、糸の滑り落ちを良くしたことを特徴とする釣り用シモリ玉。
【請求項２】
前記ジョウゴ状の先端部が中通し浮きのパイプの中に落ち込んで浮きと一体化し、糸穴の左右ずれをなくして、糸と浮きと異なる方向に引かれて発生するもつれ等をなくするようにしたことを特徴とする請求項１に記載の釣り用シモリ玉。
【請求項３】
本体下半分は中通し浮きのパイプ内に落ち込み、浮き頭頂のシモリ玉突出量を極小にするとともに、前記糸穴は、その先端部から滑らかに概略ラッパ状に拡開し、この拡開部に前記釣り糸に係着する浮き止め糸を収容可能にし、シモリおよびウキ止め糸に当る横風の影響をなくするようにしたことを特徴とする請求項１または２に記載の釣り用シモリ玉。
【発明の詳細な説明】
【技術分野】
【０００１】
本発明は、釣り用仕掛けにおいて中通し浮きと共に道糸（釣糸）を挿通した状態で、その浮きの糸通し孔（中通し孔）の端部に当接し浮き止め糸と協働して、道糸に沿った浮きの位置を止める釣り用シモリ玉に関するものである。
【背景技術】
【０００２】
たとえば、磯釣り等で中通し浮きを使用する釣りにおいて、図５に示すような釣り用仕掛け１０を使用する。この釣り用仕掛け１０の代表的構成例として道糸（釣り糸）１１に浮き止め糸１２を結び、順次シモリ玉１３、当たり浮き１４、クッション（Ｏクッション）１５、水中浮き１６およびクッション（Ｔクッション）１７にそれぞれ挿通させるというものである。
【０００３】
また道糸１１の先端には、所謂サルカン１８を介してハリス１９が結合する。ハリス１９の先端には釣り針２０が設けられると共に、その途中適所にガン玉２１が付設される。
【０００４】
この例の釣り用仕掛け１０は所謂「遊動仕掛け」と称し、当たり浮き１４および水中浮き１６が道糸１１に沿って所定範囲で移動可能になっている。すなわちたとえば当たり浮き１４の中心には、中通し孔と称する中心孔が貫通形成された中通し浮きとして構成されており、その中通し孔に道糸１１を挿通させるようになっている。
【発明の開示】
【発明が解決しようとする課題】
【０００５】
この釣り用仕掛け１０の例では、シモリ玉１３が当たり浮き１４の頭に引き寄せられると、錘による張力のため当たり浮き１４の中通し孔に密着する。その場合、図６に示されるようにシモリ玉１３の大部分（ほぼ８割近く）の体積が、当たり浮き１４の頭頂部に突出し、高さにしてｈ＝２〜３ｍｍ程度になる。このように頭頂部に突出するシモリ玉１３は風の影響を受け易くなり、その結果当たり浮き１４が風に流されて、狙ったポイントから外れてしまうことが多い。
【０００６】
また、従来のシモリ玉１３に開けられた糸穴は、直径φ＝０．８ｍｍ程度のものが多く、その糸穴は球状のシモリ玉１３の表面に直接開けられている。このような糸穴に道糸１１を挿通するのは容易でなく、とりわけ夜間や、老眼鏡を使用する年配者にあってはかかる作業が極めて困難になる。
【０００７】
さらに、従来のシモリ玉１３では図７に示されるように、球形のシモリ玉本体に円筒状の糸穴１３ａが形成されている。このような形状の糸穴の場合、道糸と円筒状糸穴とは多数ヶ所で接触し、摩擦抵抗を高めるとともに、道糸１１に糸ヨレがあると、その糸ヨレ等の逃げ場がなくなり、シモリ玉１３の移動時に大きな抵抗が生じてしまう。
【０００８】
そこで本発明は、風による影響がなく、使用性あるいは取扱性等に優れた釣り用シモリ玉を提供することを目的とする。
【課題を解決するための手段】
【０００９】
本発明の釣り用シモリ玉は、釣り糸が挿通する糸穴を有する釣り用シモリ玉であって、平坦型の概略ジョウゴ状に形成され、前記糸穴は前記ジョウゴ状の先端部に小径に絞り込まれていることを特徴とする。
【００１０】
また、本発明の釣り用シモリ玉は、ジョウゴ状の糸穴をあたかもラッパ状に滑らかに形成し、釣り糸との接触点を実質上１ヶ所に限ることを特徴とする。
【００１１】
また、本発明の釣り用シモリ玉は、本体下半分は中通し浮きのパイプ内に落ち込み、浮き頭頂のシモリ玉突出量を極小にするとともに、シモリ玉の横ズレを防ぐ。また、糸穴は、その先端部から滑らかに概略ラッパ状に拡開し、この拡開部内に前記釣り糸に係着する浮き止め糸を収容可能にしたことを特徴とする。
【発明の効果】
【００１２】
本発明によれば、シモリ玉は当たり浮きの頭頂部にぴったりと密着し、厚さも薄く、ほとんど風の影響を受けることがない。
また、糸穴はジョウゴ状の先端部に小径に絞り込まれているため、道糸を挿通する際、大径の拡開部に道糸の先端を差し込むだけで自動的に先端部へと導かれる。これにより糸穴に道糸を挿通する作業が、夜間や、老眼鏡を使用する年配者にとっても格段に容易になる。
また、糸穴は先端部から滑らかに概略ラッパ状に拡開するため、道糸に糸ヨレが生じていてもこれがシモリ玉の移動時に抵抗となることはない。
【発明を実施するための最良の形態】
【００１３】
以下、図面に基き、従来例の場合と実質的に同一または対応する部材には同一符号を用いて、本発明による釣り用シモリ玉の好適な実施の形態を説明する。
図１は、本発明の実施形態における釣り用シモリ玉１の代表的構成例を示している。図１においてシモリ玉１は、釣り糸が挿通する糸穴２を有し、既に図５で説明したような釣り用仕掛け１０において、道糸（釣り糸）１１に浮き止め糸１２を結び、順次シモリ玉１、当たり浮き１４、クッション１５等にそれぞれ挿通させるものとする。
【００１４】
シモリ玉１は平坦型で、糸穴２のうえに被さったような概略ジョウゴ状に形成され、図１のようにキノコあるいは傘が開いたような外観を呈している。シモリ玉１の材質は典型的には合成樹脂でよく、その厚さもしくは高さｔは、ｔ＝０．８ｍｍ程度である。
【００１５】
糸穴２は、ジョウゴ状の先端部に小径に絞り込まれている。糸穴２は図１（ｄ）等に示されるようにその先端部２ａから滑らかに概略ラッパ状に拡開し、この拡開部２ｂ内に道糸１１に係着する浮き止め糸１２を収容可能になっている。この例では糸穴２は、先端部２ａの内径Ｄ１＝０．６ｍｍ、また拡開部２ｂの内径Ｄ２＝１．８ｍｍ程度である。なお、後述するように糸穴２の先端部にて、道糸１１と実質的に１つの接点を持つ。
【００１６】
本発明の釣り用シモリ玉１において、たとえば前述の釣り用仕掛け１０に使用する例では、シモリ玉１が当たり浮き１４の頭に引き寄せられると、錘による張力のため当たり浮き１４の中通し孔（中通しパイプ３）に密着する。この場合、図２に示されるようにシモリ玉１は当たり浮き１４の頭頂部にぴったりと密着し、厚さもｔ＝０．８ｍｍしかないため、ほとんど風の影響を受けることがない。したがって、当たり浮き１４が風に流されることもなく、狙ったポイントを確保することができる。
【００１７】
なお、そのとき図２に示されるように糸穴２の拡開部２ｂ内に、浮き止め糸１２の大部分を収容することができる。この点でも風当りを少なくし、風の影響を受けないようにすることができる。
【００１８】
また、糸穴２はジョウゴ状の先端部に小径に絞り込まれているため、道糸１１を挿通する際、大径の拡開部２ｂに道糸１１の先端を差し込むだけで自動的に先端部２ａへと導かれる。これにより糸穴２に道糸１１を挿通する作業が格段に容易になり、特に夜間での作業および老眼鏡を使用する年配者等に対する使用性あるいは取扱性が極めて向上する。
また、糸穴２の先端部２ａの小径部は０．６ｍｍ程度しかなく、かかる先端部２ａから滑らかに概略ラッパ状に拡開するため、道糸１１に糸ヨレが生じていてもこれがシモリ玉１の移動時に抵抗となることはない。すなわち、図４に示すように糸穴２の先端部２ａにて、道糸１１と実質的に１つの接点で接触するので、よれた道糸１１であっても円滑に移動することが可能である。
【００１９】
上述のように本発明の好適な実施形態を説明したが、本発明は上述した実施形態にのみ限定されるものではなく、必要に応じて適宜変更等が可能である。たとえば、シモリ玉１の具体的寸法等は上述の実施形態の場合の他、適宜変更可能である。
【図面の簡単な説明】
【００２０】
【図１】本発明の実施形態におけるシモリ玉の構成例を示す図である。
【図２】本発明の実施形態におけるシモリ玉の作用を示す図である。
【図３】本発明の実施形態におけるシモリ玉の作用を示す図である。
【図４】本発明の実施形態におけるシモリ玉の作用を示す図である。
【図５】仕掛けの例を示す斜視図である。
【図６】従来の実施形態におけるシモリ玉の作用を示す図である。
【図７】従来の実施形態におけるシモリ玉の作用を示す図である。
【符号の説明】
【００２１】
１  シモリ玉
３  中通しパイプ
１０  釣り用仕掛け
１１  道糸（釣り糸）
１２  浮き止め糸
１４  当たり浮き
１５  クッション
１６  水中浮き
１８  サルカン
１９  ハリス
２０  釣り針
２１  ガン玉
【図１】
2006204216.tif 000003
【図２】
2006204216.tif 000004
【図３】
2006204216.tif 000005
【図４】
2006204216.tif 000006
【図５】
2006204216.tif 000007
【図６】
2006204216.tif 000008
【図７】
2006204216.tif 000009